(57)【要約】      （修正有）【課題】ブルートゥースヘッドフォンと音声増幅器との結合装置を提供する。【解決手段】磁性吸着により、ブルートゥースヘッドフォンと音声増幅器とを結合する結合装置であって、ブルートゥースヘッドフォンと音声増幅器とが含有される。ブルートゥースヘッドフォンは、吸着可能部品と信号伝送端とを有する。音声増幅器は、ヘッドフォン収納槽と制御回路板とを有し、前記ヘッドフォン収納槽に、磁性素子が設置される。また、前記ブルートゥースヘッドフォンが前記ヘッドフォン収納槽に近接すると、前記磁性素子が、前記ブルートゥースヘッドフォンの吸着可能部品に吸着し、これにより、前記ブルートゥースヘッドフォンが、前記ヘッドフォン収納槽に収納され、また、前記ブルートゥースヘッドフォンの信号伝送端が、前記音声増幅器の制御回路板に電気的に接続される。【選択図】図４
0003133627.tif 000002
【実用新案登録請求の範囲】
【請求項１】
吸着可能部品と信号伝送端とを有するブルートゥースヘッドフォンと、
ヘッドフォン収納槽と制御回路板とを有し、前記ヘッドフォン収納槽に磁性素子が設置される音声増幅器と、を含有し、
前記制御回路板は、
スピーカと、
マイクと、
前記ブルートゥースヘッドフォンの信号伝送端、前記スピーカ及び前記マイクに電気的に接続されるコントローラーと、
前記コントローラーに接続され、前記コントローラーに対して制御命令を供給するファンクションキーユニットと、を含有し、
前記ブルートゥースヘッドフォンが、前記ヘッドフォン収納槽に挿設され、前記吸着可能部品により、前記磁性素子に吸着し、前記信号伝送端が、前記制御回路板に電気的に接続される
ことを特徴とするブルートゥースヘッドフォンと音声増幅器との結合装置。
【請求項２】
前記制御回路板は、車載用信号コネクタを介して、車載用電器装置に接続されることを特徴とする請求項１に記載のブルートゥースヘッドフォンと音声増幅器との結合装置。
【請求項３】
前記車載用電器装置は、車載用オーディオであり、着信がある時、前記コントローラーにより、着信信号を前記車載用オーディオに転送して、双方向音声伝送を行うことを特徴とする請求項２に記載のブルートゥースヘッドフォンと音声増幅器との結合装置。
【請求項４】
前記車載用電器装置は、車載用発電装置であることを特徴とする請求項２に記載のブルートゥースヘッドフォンと音声増幅器との結合装置。
【請求項５】
更に、前記制御回路板上の電池に対して充電する充電ユニットが含有されることを特徴とする請求項１に記載のブルートゥースヘッドフォンと音声増幅器との結合装置。
【請求項６】
更に、前記充電ユニットに接続され充電指示を行う指示灯が含有されることを特徴とする請求項５に記載のブルートゥースヘッドフォンと音声増幅器との結合装置。
【考案の詳細な説明】
【技術分野】
【０００１】
本考案は、ブルートゥースヘッドフォンと音声増幅器との結合装置に関し、特に、磁性吸着原理を利用するブルートゥースヘッドフォンと音声増幅器との結合装置に関する。
【背景技術】
【０００２】
ブルートゥースは、低コストと低パワー及び短距離無線通信技術であり、幅広く、パーソナル移動通信設備に適用できる。ブルートゥース技術は、無線伝送の機能を利用して、ブルートゥースヘッドフォンや携帯式セルフォン腕時計或いは直接に指に付ける通信器を設計し、これらの製品にブルートゥースチップが内蔵されれば、無線伝送を行うだけでなく、インターネットアクセスやｅ−ｍａｉｌの送受信機能が実現されて、非常に便利である。
【０００３】
市販のブルートゥースヘッドフォンは、種類が多くて、ブルートゥースセルフォンに合わせて使用しなければならなく、ユーザーは、ブルートゥースヘッドフォンを付けて、標準帯域で、ブルートゥースセルフォンと双方向通信を行うことができ、また、いつでも、どこでも、ユーザーが、ブルートゥース技術の無線伝送機能を利用して、電話にハンドフリーで出られる効果が得られる。
【０００４】
図１は、従来のブルートゥースヘッドフォン４０とブルートゥースセルフォン６０との通信の仕組みを示す概略図であり、従来のブルートゥース通信システムにおいて、ブルートゥース通信技術により、ブルートゥースセルフォン６０の着信音声メッセージ５０を、ブルートゥースヘッドフォン４０に無線伝送し、ブルートゥースヘッドフォン４０は、伝送する音声メッセージ５２を、ブルートゥース通信技術により、ブルートゥースセルフォン６０に無線伝送し、これにより、双方向音声伝送が実現される。そのため、ユーザーは、どこでも、電話を受ける時、ハンドフリーセルフォンの効果が得られる。
【０００５】
図１を参照しながら図２も説明すると、図２は、従来のブルートゥースヘッドフォン４０内部の回路のフロック図である。着信がある時、ブルートゥースヘッドフォン４０において、無線通信ユニット４０１が、遠隔ブルートゥースセルフォン６０から伝送された着信音声メッセージ５０を受信し、着信音声メッセージ５０が、コントローラー４０２に伝送されて、前記コントローラー４０２により処理された後、着信音声メッセージ５０が、前記ヘッドフォン４０４から伝送されて、ユーザーが聞こえるようになる。
【０００６】
同時に、ユーザーは、前記マイク４０３を介して、応答する音声メッセージ５２を、前記コントローラー４０２に送ることにより、応答する音声メッセージ５２が、前記コントローラー４０２によって処理された後、前記無線通信ユニット４０１に伝送され、前記無線通信ユニット４０１により、応答する音声メッセージ５２が、遠隔的ブルートゥースセルフォン６０へ送信され、これにより、双方向の音声伝送が行われる。また、ユーザーは、任意の箇所で電話を受けても、ハンドフリーセルフォンの効果が得られる。
【０００７】
しかしながら、着信がある時、ブルートゥースヘッドフォン４０により、一人のユーザーだけが、通話が行え、第三者や複数の人が、一緒に通話することができないため、生活上や仕事上での通話品質や通話ニーズを、十分に満足させることができない。
【考案の開示】
【考案が解決しようとする課題】
【０００８】
本考案は、ブルートゥースヘッドフォンと音声増幅器とを快速的に結合でき、また、快速的に、位置付けできるブルートゥースヘッドフォンと音声増幅器との結合装置を提供する。
【課題を解決するための手段】
【０００９】
本考案に係わるブルートゥースヘッドフォンと音声増幅器との結合装置は、ブルートゥースヘッドフォンと音声増幅器とが含有される。ブルートゥースヘッドフォンは、吸着可能部品と信号伝送端とがある。音声増幅器は、ヘッドフォン収納槽と制御回路板とを有し、前記ヘッドフォン収納槽は、両側に、それぞれ磁性素子が設置される。これにより、前記ブルートゥースヘッドフォンが、前記ヘッドフォン収納槽に近接すると、前記磁性素子により、前記ブルートゥースヘッドフォンの吸着可能部品を吸着するため、前記ブルートゥースヘッドフォンが、前記ヘッドフォン収納槽に収納されるようになり、また、前記ブルートゥースヘッドフォンの信号伝送端が、前記音声増幅器の制御回路板に電気的に接続されるようになる。
【００１０】
また、前記制御回路板は、コントローラー、スピーカ及びマイクを有する。コントローラーは、前記ブルートゥースヘッドフォンの信号伝送端に電気的に接続される。スピーカは、前記コントローラーに電気的に接続される。マイクは、前記コントローラーに電気的に接続される。これにより、着信がある時、前記コントローラーは、前記ブルートゥースヘッドフォンを介して、着信信号を受信して、前記着信信号を、前記スピーカと前記マイクへ伝送し、双方向の音声伝送を行う。
【００１１】
本考案は、スピーカにより、ブルートゥースヘッドフォンが、遠隔セルフォンから受信した着信信号を拡大して発音するため、複数の人が聞こえるようになる。同時に、本考案は、マイクを使用して、複数の人が応答する音声メッセージが、ブルートゥースヘッドフォンに伝送して、また、ブルートゥースヘッドフォンにより、遠隔セルフォンへ伝送されるため、双方向の音声伝送が実現される。そのため、ユーザーは、本考案を利用すれば、３人やより多い人数が、同時に通話する効果が得られ、これにより、生活上や仕事上での通話品質や通話ニーズを十分に満足させることができる。
【００１２】
以下、図面を参照しながら、本考案の特徴や技術内容について、詳しく説明するが、その図面等は、ただ、参考や説明のためのものであり、本考案は、それによって制限されることがない。
【考案を実施するための最良の形態】
【００１３】
図３は、本考案の外観結合概念図である。本考案は、ブルートゥースヘッドフォン１と音声増幅器２とが含有される。ブルートゥースヘッドフォン１は、吸着可能部品１２と信号伝送端１０とを有する。音声増幅器２は、ヘッドフォン収納槽２０と制御回路板（図に未表示）とを有し、前記ヘッドフォン収納槽２０は、両側に、それぞれ磁性素子２２が設置される。
【００１４】
また、ブルートゥースヘッドフォン１が、前記ヘッドフォン収納槽２０に近接する場合、ブルートゥースヘッドフォン１の吸着可能部品１２が、音声増幅器２のヘッドフォン収納槽２０の両側にある磁性素子２２によって吸引され、ブルートゥースヘッドフォン１が、快速的に、ヘッドフォン収納槽２０内に収納され、同時に、正確に位置付けられる。ブルートゥースヘッドフォン１と音声増幅器２とが結合されると、ブルートゥースヘッドフォン１の信号伝送端１０と、音声増幅器２の制御回路板のコントローラー２１とが電気的に接続される。
【００１５】
また、図３を参照すると、音声増幅器２の制御回路板は、車載用信号コネクタ３を介して車載用電器装置（図に未表示）に電気的に接続される。車載用電器装置は、車載用オーディオ或いは／及び車載用発電装置である。
【００１６】
図４は、本考案の回路フロック図である。本考案に係わるブルートゥースヘッドフォンと音声増幅器との結合装置は、ブルートゥースヘッドフォン１と音声増幅器２とが含有される。図５は、本考案の音声増幅器の内部回路図である。また、音声増幅器２の制御回路板は、コントローラー２１、スピーカ２３及びマイク２４を備える。コントローラー２１は、品番ＦＭ１１８２である集積回路であり、スピーカ２３は、品番ＥＵＡ６２０４ＭＩＲ１である集積回路Ｕ１にインダクタンス素子Ｌ１、Ｌ２と他の電子素子を接続してなり、マイク２４は、抵抗素子Ｒ１〜Ｒ１０に容量素子Ｃ１〜Ｃ８が接続されることにより構成される。コントローラー２１は、前記ブルートゥースヘッドフォン１の信号伝送端１０に電気的に接続され、信号伝送端１０とブルートゥースヘッドフォン１とにより、データ伝送とデータ処理とを行う。スピーカ２３は、前記コントローラー２１に電気的に接続され、前記コントローラー２１によって制御され、音声拡大機能を提供する。マイク２４は、前記コントローラー２１に電気的に接続され、前記コントローラー２１によって制御され、音声取入機能を提供する。
【００１７】
また、図４を参照すると、遠隔セルフォン（図に未表示）から着信がある時、前記コントローラー２１は、前記ブルートゥースヘッドフォン１により、着信信号Ｓ１を取入し、また、前記着信信号Ｓ１を前記スピーカ２３と前記マイク２４に伝送して、双方向の音声伝送及び音声拡大機能が実現される。
【００１８】
ブルートゥースヘッドフォン１が、音声増幅器２に収納される時、音声増幅器２は、ブルートゥースヘッドフォン１の音声拡大機能を提供し、また、音声増幅器２のコントローラー２１は、エコー（ＥＣＨＯ）を除去する機能を有し、その作動について、説明すると、セルフォンから着信がある時、ブルートゥースヘッドフォン１において、受信ボタンを押すと、音声チャネルが確立される。着信信号Ｓ１が、ブルートゥースヘッドフォン１を介して、音声増幅器２のコントローラー２１に伝送されて処理され、コントローラー２１は、前記着信信号Ｓ１を、内蔵されたアナログ・デジタル信号変換器により、第１のデジタル信号に変換して、記録し、また、デジタル／アナログ信号変換器によって処理された後、スピーカ２３を介して、着信者からの着信信号を拡大して音声として放送し、受話者が聞こえるようになる。
【００１９】
音声増幅器２が、音声拡大機能を有するため、スピーカ２３から放送された音量が大きいので、マイク２４が、その音量を受信すると、共鳴信号を生成する。コントローラー２１は、前記共鳴信号を、内部のアナログ・デジタル変換器で、第２のデジタル信号に変換し、記録済みの第１のデジタル信号と対照する。第２のデジタル信号が、第１のデジタル信号に一致する時、コントローラー２１は、前記第２のデジタル信号を抑制することにより、エコー（ＥＣＨＯ）を除去する機能が実現される。また、図５と図４とを参照すると、本考案の音声増幅器２は、更に、ファンクションキーユニット２８が含有され、ファンクションキーユニット２８は、抵抗素子Ｒ５６、Ｒ５７がスイッチＳ１、Ｓ２に接続されることからなる。前記ファンクションキーユニット２８は、前記コントローラー２１に接続され、前記コントローラー２１に対して制御命令Ｓ２を伝送して、音量の大きさを調整する機能を提供する。
【００２０】
また、本考案に係わるコントローラー２１は、更に、車載用信号コネクタ３を介して、車載用オーディオ７や車載用発電装置８に電気的に接続されても良い。本考案が、車載用オーディオ７に接続される時、コントローラー２１により、前記着信信号Ｓ１を、前記車載用オーディオ７に送るように制御でき、これにより、車載用オーディオ７で双方向の音声伝送や音声拡大機能が実現される。
【００２１】
図５と図４とを参照すると、本考案に係わる制御回路板は、更に、充電ユニット２６と電池２５と指示灯２７とが含有される。充電ユニット２６は、品番ＢＱ２４０１０ＤＲＣである集積回路Ｕ２に、容量素子Ｃ４７、Ｃ４８と抵抗素子Ｒ５２、Ｒ５３、Ｒ５５、Ｒ５６が接続されることにより構成される。指示灯２７は、抵抗素子Ｒ３６、Ｒ３７に発光素子Ｄ１、Ｄ２が接続されることにより構成される。前記電池２５は、前記コントローラー２１に接続され、コントローラー２１に対して給電する。充電ユニット２６は、前記電池２５と前記指示灯２７とに接続される。本考案は、車載用発電装置８に接続される時、充電ユニット２６は、車載用信号コネクタ３を介して、車載用発電装置８からの電力を受けて、また、前記電力に基づいて、前記制御回路板上の電池２５に対して充電する。
【００２２】
図４を参照すると、ブルートゥースヘッドフォン１は、遠隔から着信メッセージＳ１を受信し、また、信号伝送端１０を介して、着信メッセージＳ１を、音声増幅器２のコントローラー２１に伝送する。コントローラー２１により着信メッセージＳ１を処理し、また、ファンクションキーユニット２８が出力した制御命令Ｓ２に基づいて、音声伝送経路を切換える。制御命令Ｓ２に基づいて、コントローラー２１は、切換音声伝送経路を、スピーカ２３やマイク２４に切換え、スピーカ２３とマイク２４により、双方向の音声伝送と音声拡大を行う。或いは、制御命令Ｓ２に基づいて、コントローラー２１は、音声伝送経路を、車載用オーディオ７に切り換えるように制御し、車載用オーディオ７で、双方向の音声伝送と音声拡大を行う。
【００２３】
以上の説明のように、本考案に係わるブルートゥースヘッドフォン１と音声増幅器２の結合装置は、磁性吸着原理を利用して、快速的に結合でき、また、快速的に位置付けるブルートゥースヘッドフォン１と音声増幅器２を提供する。ブルートゥースヘッドフォン１が音声増幅器２に近接すると、ブルートゥースヘッドフォン１の吸着可能部品１２が、音声増幅器２のヘッドフォン収納槽２０の両側に位置する磁性素子２２によって吸引されるため、ブルートゥースヘッドフォン１が、快速的に、ヘッドフォン収納槽２０内に収納され、また、同時に、精確に位置付けられる。
【００２４】
また、ブルートゥースヘッドフォン１と音声増幅器２とが、結合されて位置付けられた後、ブルートゥースヘッドフォン１の信号伝送端１０は、音声増幅器２の制御回路板のコントローラー２１に電気的に接続される。この時、ブルートゥースヘッドフォン１は、遠隔から着信メッセージＳ１を受信する時、信号伝送端１０を介して着信メッセージＳ１が、音声増幅器２のコントローラー２１に伝送される。コントローラー２１は、着信メッセージＳ１を処理し、また、ファンクションキーユニット２８が出力した制御命令Ｓ２に基づいて、音声伝送経路を切り換える。制御命令Ｓ２に基づいて、コントローラー２１は、音声伝送経路を、スピーカ２３とマイク２４とに切換え、スピーカ２３とマイク２４とにより、双方向の音声伝送と音声拡大とを行う。或いは、制御命令Ｓ２に基づいて、コントローラー２１は、音声伝送経路を車載用オーディオ７に切換え、車載用オーディオ７により、双方向の音声伝送と音声拡大とを行う。
【００２５】
本考案は、より進歩的かつより実用的で、法に従って実用新案登録請求を出願する。
【００２６】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【図面の簡単な説明】
【００２７】
【図１】従来のブルートゥースヘッドフォンとブルートゥースセルフォンとの通信の仕組みを示す概略図
【図２】従来のブルートゥースヘッドフォンの内部回路ブロック図
【図３】本考案の外観結合概念図
【図４】本考案の回路ブロック図
【図５】本考案の音声増幅器の内部回路図
【符号の説明】
【００２８】
４０      ブルートゥースヘッドフォン
４０１      無線通信ユニット
４０２      コントローラー
４０３      マイク
４０４      ヘッドフォン
５０、５２    音声メッセージ
６０      ブルートゥースセルフォン
１      ブルートゥースヘッドフォン
１０      信号伝送端
１２      吸着可能部品
２      音声増幅器
２０      ヘッドフォン収納槽
２１      コントローラー
２２      磁性素子
２３      スピーカ
２４      マイク
２５      電池
２６      充電ユニット
２７      指示灯
２８      ファンクションキーユニット
３      車載用信号コネクタ
７      車載用オーディオ
８      車載用発電装置
【図１】
0003133627.tif 000003
【図２】
0003133627.tif 000004
【図３】
0003133627.tif 000005
【図４】
0003133627.tif 000006
【図５】
0003133627.tif 000007